(57)【要約】【課題】平机において、天板の下面部に引出しを取り付けできるものでありながら、天板の下面と他部材とを金具で連結することを可能ならしめる。【手段】天板２の下面部には脚３に近接した状態で引出し１１が配置されている。引出し１１を前後動自在に支持する支持レール１３は、天板２との下面に隙間Ｓを空けた状態に配置されており、また、天板２と脚３との間にも隙間Ｓ′が空いている。天板２と他の部材（補助テーブル８の天板）９とを連結する金具８２は隙間Ｓ，Ｓ′を通って支持レール１２の内側に露出しており、このため、金具８２は支持レール１３に干渉することなく天板２に固定できる。【選択図】図１０
2008086456.tif 000002
【特許請求の範囲】
【請求項１】
天板の下面に、当該下面との間に隙間を空けた状態で支持レールが取り付けられており、前記支持レールで引出しを前後動自在に支持している、
机。
【請求項２】
前記天板の側部は支持体で支持されており、天板と支持体との間、及び天板と支持レールとの間に、板状の金具を挿通できる数ｍｍの隙間が空いている、
請求項１に記載した机。
【請求項３】
前記支持体は平面視で前後方向に細長い脚であり、１本の支持レールが前記脚に近接した状態で前後方向に延びるように配置されている一方、前記天板の側方には他部材が配置されていてこの他部材は前記天板の下面に延びる金具に締結されており、前記金具は、脚と天板との間の隙間及び支持レールと天板との間の隙間を通って天板の下面に重なる水平部を有しており、この水平部を天板にねじで固定している、
請求項２に記載した机。
【発明の詳細な説明】
【技術分野】
【０００１】
本願発明は、天板の下面箇所に引出しを配置している机（テーブル）に関するものである。
【背景技術】
【０００２】
机（平机）において、天板の下面箇所に引出し（センター引出し）を配置することは広く行われており、この引出しは、天板に取り付けた左右一対の支持レールで前後動自在に支持されている。この支持レールは一般に金属板で正面視コ字状に形成されている。
【０００３】
支持レールの天板に取り付ける方法としてねじ止めも行われているが、スチール製の天板の場合は、例えば特許文献１に開示されているように、支持レールの上面に突設した係止爪を天板の補強枠部に嵌め込む構成にしていることが多く、また、支持レールの上面を天板の下面に密着させている。
【０００４】
また、机の引出しには錠を設けることが行われており、この場合、錠のデッドボルトは天板を構成する補強部材に係脱させていることが殆どである（例えば特許文献２参照）。
【特許文献１】特開平８−２５２１２８号公報
【特許文献２】実公昭５７−３９４８４号公報
【発明の開示】
【発明が解決しようとする課題】
【０００５】
ところで、机において天板の下面部に浅い引出し（センター引出し）を設ける場合、例えば袖キャビネットを右に配置する場合と左に配置する場合とで引出しの位置を左右に変えるというように、引出しを左右に付け替えることがある。また、天板の下面部に幅狭の２枚の引出しを配置したり幅広の１枚の引出しを配置したりというように、引出しの配置数を異ならせることもある。
【０００６】
従って、従来のように錠のデッドボルトを天板に係脱させる構成では、引出しの配置位置の違いを予め想定して天板に複数の係合穴を空けておくか、或いは、予め引出しの配置位置を確定しておいてこれに基づいて天板に係合穴を空けておくかせねばならず、いずれにしても引出しの配置態様を予め想定して天板に係合穴を空けておかねばならないため、天板の加工が面倒であるという問題があった。
【０００７】
また、天板の側方に、補助天板のような付属品をオプションとして配置したり、或いは、左右に並設した二つの机で一つの脚を共用することがあり、このような場合、脚と天板との間に隙間を空けて、この隙間に通した板状の金具を隣り合った天板と付属品との下面の相互間、又は、隣り合った天板の下面の相互間に跨がった状態で配置し、その状態で金具を天板及び付属品にねじで締結することがある（例えば特開平３−２８４２１８号公報）。
【０００８】
しかるに、金具は天板の下面に締結されているため、金具を配置した箇所には支持レールを取り付けることができず、このため、隣り合った天板同士や天板と付属品とを金具で連結する場合は、天板の下面部に引出しを取り付けることができずに不便であるという問題があった。
【０００９】
本願発明は、これらの問題を解消することを課題とするものである。
【課題を解決するための手段】
【００１０】
本願発明者は前記課題を解決すべく、各請求項の発明を完成させるに至った。このうち請求項１の発明に係る机は、天板の下面に、当該下面との間に隙間を空けた状態で支持レールが取り付けられており、前記支持レールで引出しを前後動自在に支持している。
【００１１】
請求項２の発明は請求項１の発明を好適に具体化したもので、この発明では、前記天板の側部は支持体で支持されており、天板と支持体との間、及び天板と支持レールとの間に、板状の金具を挿通できる数ｍｍの隙間が空いている。
【００１２】
請求項の３では隙間が有効に使用されている構成を具体化している。すなわち請求項３の発明では、前記支持体は平面視で前後方向に細長い脚であり、１本の支持レールが前記脚に近接した状態で前後方向に延びるように配置されている一方、前記天板の側方には他部材が配置されていてこの他部材は前記天板の下面に延びる金具に締結されており、前記金具は、脚と天板との間の隙間及び支持レールと天板との間の隙間を通って天板の下面に重なる水平部を有しており、この水平部を天板にねじで固定している。
【００１３】
天板が木製の場合は、天板の下面は広い面積で広がっているので「下面」は一義的に決まり、解釈に疑義が生じることはないと言える。他方、金属板製（スチール製）の天板の場合は、天板は上面板とその下面に固着した複数本の補強枠とを備えており、更に、左右側部にはサイドエッジを設けていることがあり、縦断側面視及び縦断正面視において凹凸の形態になっている。このため、スチール製の天板ではどの部分をもって「下面」と呼ぶのか疑義が生じる虞がある。
【００１４】
この点、本願発明では、スチール製の天板において「下面」とは、基本的には天板の最下面を意味している。スチール製の天板では、一般に、補強枠の下面とサイドエッジ（或いは左右側縁部）の下面とは略同一面を成しており、従って、この場合は、補強枠とサイドエッジとの下面が「天板の下面」になる。支持レールは何らかの手段で天板に取り付ける必要があるが、取り付け部の箇所に隙間が空いていないことはいうまでもない。すなわち、本願発明では、取り付け部を除いた部分において支持レールと天板との間に隙間が空いているのである。
【発明の効果】
【００１５】
引出しに錠を設ける場合、錠のデッドボルトを支持レールに係脱させると、天板に係合部を加工する必要はないため、引出しの配置位置等の仕様の違いに関係なく、常に引出しをロックすることができる。このため、加工の手間をなくして経済的である。そして、特許文献２のように上下動式のデッドボルトが係脱する係合部をデッドボルトに設ける場合、係合部はデッドボルトが簡単に外れないようにある程度の引っ掛かり代が必要であり、例えば係合部を下向きの係止片と成すことで引っ掛かり代を確保することが可能であるが、この場合は加工が面倒であるという問題がある。
【００１６】
これに対して本願発明の下では、支持レールと天板との間に隙間が空いているため、実施形態のデッドボルトを支持レールに係合させてロックする場合は、例えば支持レールの係合部としては単なる係合穴を空けるだけで、デッドボルトの引っ掛かり代を確保することができる。このため支持レールに係合部を形成する加工が簡単である。なお、錠のデッドボルトの引っ掛かり代を確保するには、隙間は例えば２〜５ｍｍ程度あるのが好ましい。
【００１７】
請求項２のように構成すると、天板の側方に配置した他部材を金具にて天板に連結するにおいて、金具の水平部は天板と支持レールとの間の隙間に挿通できるため、支持レールと金具とが干渉することはない。このため、金具にて他部材を天板の下面に連結しつつ、引出しを脚に近接した状態に取り付けることができる。このため、机の価値を格段に向上させることができる。
【発明を実施するための最良の形態】
【００１８】
次に、本願発明の実施形態を図面に基づいて説明する。
【００１９】
(1).机の概略
図１は机１を連結して成る机群の概略斜視図であり、まず、この図１に基づいて机１の概略を説明する。机１は平面視矩形（横長長方形）の天板２を備えており、天板２は、支持体の一例としての脚３又は袖キャビネット４で支持されている。
【００２０】
本実施形態では、左右に並設した机１は脚３又は袖キャビネット４を共用している（すなわち、左右に隣り合った天板は２は、一つの脚３又は袖キャビネット４に載っている。）。詳細は省略するが、天板２は、前後の連結金具で脚３又は袖キャビネット４に連結されている。机１の背面は強度メンバーとしてのバックフレーム５で構成されており、バックフレーム５は脚３及び袖キャビネット４の背面に連結されている。そして、背中合わせに配置した机１は一つのバックフレーム５を共用している。
【００２１】
バックフレーム５の上面にはバックパネル（フロントパネル）６を立設できるようになっている。符号７は天板２の後方に空いた配線空間を塞ぐカバーである。机１の側面には、オプション品として例えばミーティング用等の補助テーブル８を連結できるようになっている。補助テーブル８は天板９と脚１０とを備えており、補助テーブル８の天板９は金具（図示せず）で机１の天板２に連結されている。
【００２２】
机１における天板２の下面部には、レールを介して引出し１１が配置されている。まず、この点について図２以下の図面を参照して説明する。図２は天板の部分底面図、図３は天板２と支持レール１３との関係を示す分離斜視図、図４は支持レール１３の取り付け手順の前半段階を示す側断面図、図５は支持レールの取り付け手順を示す底面図、図７のうち（Ａ）は支持レール１３を仮想線で表示した部分平面図、（Ｂ）は図５の VIA-VIA視断面図、図７は施錠機構の分離斜視図である。
【００２３】
(2).天板の構造
まず、図２〜図４に基づいて天板２の構造を説明する。本実施形態の天板２はスチール製であり、図２，３に示すように、その上面を構成する表面板１４と、表面板１４の前部下面に固着した前部補強枠１６と、表面板１４の後部下面に固着した後部補強枠１６と、前後補強枠１５，１６の間において表面板１４の下面に固着した第１〜第３の中間補強枠１７，１８，１９と、補強枠１５〜１９群の左右両端に固着した側枠体２０と、樹脂製のサイドエッジ２１及びリアエッジ２２を備えている（表面板１４の上面にメラミン等の保護層を設けている。）。
【００２４】
前後補強枠１５，１６はほぼ同じ断面形状であり、表面板１４に重なる前後の羽根状の部分と下向きに突出した角形樋状部２３を有する形態になっている。角形樋状部２３の下面部には上向きに凹んだ凹溝部２４が形成されている。前部補強枠１５における角形樋状部２３の凹溝部２４のうち支持レール１３と重なる部分の前壁には、支持レール１３の前部を取り付けるためのスリット状の前部係合穴２５が左右一対形成されている。
【００２５】
中間補強枠１７〜１９はいずれも上向き開口略樋状に形成されており、各中間補強枠１７〜１９において平面視で支持レール１３と重なる部分の下面には、支持レール１３の前後中途部を取り付けるための後部係合穴２６が形成されている。但し、支持レール１３の取り付けに使用されているのは第２中間補強枠１８のみである（各中間補強枠１７〜１９に後部係合穴２６を形成しているのは、部材を共通化するためである。）。
【００２６】
後部係合穴２６は左右長手のスリット状に形成されており、かつ、平面視で引出し１１の中心を挟んで左右外方向に行くに従って溝巾が小さくなるテーパ状に形成されている。また、中間補強枠１７〜１９の下面のうち係合穴２３の手前でかつ引出し１１の中央部に寄った部位には、角形の位置決め穴２７が形成されている。
【００２７】
(3).支持レールの詳細
次に、支持レール１３を説明する。支持レール１３は金属板製であり、例えば図３に示すように、上面を構成する上水平部２９と、引出し１１の外側において上水平部２９から垂下した垂直部３０と、垂直部３０の下端から引出し１１に向けて延びた下水平部３１とを備えており、このため全体としては引出し１１に向けて開口した略コ字状に形成されている。下水平部３１の先端は上向き片が折り曲げられている。上水平部２９は下水平部３１よりも広幅に形成されている（安定性を確保するためである。）。
【００２８】
支持レール１３における垂直部３０の前端上部と上水平部２９の前端部とには、前部補強枠１５における角形樋状部２３の前部係合穴２５に後方から嵌り込む側面視前向き鉤状の前部係止爪３２を上向きに突設している。図４に示すように、前部係止爪３２の上部は、その前端部を前部係合穴２２に差し込んだ状態で前部補強枠１５の凹溝部２４にすっぽりと収まる寸法に設定されている。従って、支持レール１３は前後ずれ不能に保持されている。
【００２９】
上水平部２９の前端部は、前部補強枠１５における凹溝部２４の前部壁面に当接するストッパー部２９ａになっている。ストッパー部２９ａは、垂直部３０から遠い位置に位置した一方の前部係止爪３２と一体に繋がっている。このため、ストッパー部２９ａと一方の前部係止爪３２とは堅牢な構造になっている。支持レール１３における垂直部３０の前端部には引出し１１に向けて突出した膨出部３０ａが形成されており、この膨出部３０ａに、引出し１１を支持するローラ３３が回転自在に軸支されている。
【００３０】
支持レール１３における上水平部２９の後寄り部位には、第２中間補強枠１８の後部係合穴２６に下方から嵌る係止爪３４が切り起こし形成されている。後部係止爪３４は、正面視で引出し１１の外側に向けて開口した切り欠き溝３５を備えていて正面視横向き鉤状の形態になっている。
【００３１】
従って、支持レール１３の取り付けは、まず、図４に示すように、後部を下向きにした斜め姿勢にして先ず前部係止爪３２を前部係合穴２５に後方から差し込み、次いで、支持レール１３を上向き回動させて後部係止爪片３４を第２中間補強枠１８の後部係合穴２６に下方から嵌め込んだのち、図５に示すように、前部係止爪３２を支点にして引出し１１の外側に向けて水平旋回させることにより、後部係止爪３４の切り開き溝３５を第２補強枠１８に嵌め込む、という手順を採ることになる。
【００３２】
支持レール１３の上水平部２９のうち後部係止爪３４の手前側には、当該後部係止爪３４を切り起こし形成したことによって透かし穴３６が空いており、この透かし穴３６の左右内側縁には正面視鉤形の受け爪３７が上向きに突設されており、透かし穴３６の前縁縁には押え片３８が上向きに突設されている。
【００３３】
そして、透かし穴３６の箇所に、受け爪３７及び押さえ片３８を介して、樹脂製の位置決め部材３９が弾性変形を利用して装着されている。そして、位置決め部材３９には、第２中間補強枠１８の位置決め穴２７に下方から嵌るフック片４０が一体に形成されており、フック片４０は、支持レール１３を水平旋回させることにより、弾性に抗しての変形によって位置決め穴２７に嵌合し、これにより、支持レール１３はガタ付き無く左右動不能に保持される。
【００３４】
抜け止め部材３９の存在により、天板２の下面（すなわち各補強枠１５〜１９の下面）と支持レール１３の上面との間に若干の間隔寸法ｅ（例えば３ｍｍ程度）の隙間Ｓが空いている。換言すると、抜け止め部材３９は、支持レール１３の安定性を確保する機能、及び、上水平部２９と天板２との間に隙間Ｓを設けるためのスペースの機能も果たしている。図３，４に示すように、支持レール１３における上面板２９には、天板２の補強枠１５・・に当たるスペーサ用の突起２９ａを膨出形成している。
【００３５】
また、図４に示すように、前部係止爪３４が前部補強枠１５の凹溝部２４に嵌まって上向き動不能に保持された状態で上水平部２９と前部補強枠１５の下面との間には隙間Ｓが空いている。隙間Ｓの間隔は３ｍｍ程度に設定している。天板２（補強枠）と支持レール１３との間に隙間Ｓを空ける方法としては、スペーサを溶接によって固着することも可能である。
【００３６】
(4).引出しの構造
次に、引出し１１の構造を説明する。引出し１１の本体はスチール製であり、例えば図７から理解できるように、前部は人が指を下方から差し込むことのできる下向き開口の溝状部４２になっており、前記溝状部の後部は略鉛直姿勢の仕切り壁になっていてその後方は収納部になり、前記溝状部の前部は前記収納部の深さ寸法よりも小さい寸法で下向きに突出した指掛け部になっており、このため、前記収納部は溝状部４２になっており、溝状部４２の後ろ側は奥行きが小さい補助収納部４３となり、補助収納部４３の後方には奥行きが大きい主収納部４４になっている。
【００３７】
補助収納部４３と主収納部４４とは上向きの隔壁４５で区画されており、また、補助収納部４３は主収納部４４よりも浅くなっている。言うまでもないが、主収納部４４の後端には後ろ壁を設けている。
【００３８】
溝状部４２の前部は、これを構成する板材を折り返すことで筒状の指掛け部４２ａになっており、指掛け部４２ａの下向き突出寸法は補助収納部４３の深さ寸法の略半分程度になっている。従って、補助収納部４３は溝状部４２から段落ちした状態になっている。また、溝状部４２と補助収納部４３とは仕切り壁４６で区画されている。
【００３９】
図６（Ｂ）に明示するように、補助収納部４３及び主収納部４４の左右側端には側板４７が設けられており、側板４７上方には下向きに開口した張り出し部４７ａが一体に形成されている。この張り出し部４７ａが支持レール１３のローラ３３で支持されている。
【００４０】
また、引出し１１における側板４７の後端部には、支持レール１３の下水平部３１を上下から挟持するスライダー４８が取り付けられており、このため、引出し１１は殆ど左右にぶれることなく前後動自在になっている。溝状部４２の左右両側部には樹脂製のサイドエッジ５０を装着している。なお、溝状部４２に樹脂製のエッジを装着したり、或いは、溝状部４２を樹脂製としたりすることも可能である。
【００４１】
(5).施錠機構
次に、主として図７基づいて施錠機構を説明する。錠５２は、前面に鍵穴５３が開口すると共にシリンダを内蔵した正面視略角形の本体５４と、本体５４の後方に突出した金属板製のデッドボルト（閂部材）５５とからなっている。本体５４の後部は左右に張り出した取り付け板５６で構成されている。また、デッドボルト５５は本例では右側に延びており、先端には平面視で前後長手のストッパー部５５ａを上向きに突設している。
【００４２】
錠５２の本体５４は、引出し１１の仕切り壁４６に形成した窓穴５７を介して後方から溝状部４２に配置されており、取り付け板５６は仕切り壁４６の後面に重なっている。また、錠５２の本体５４は、平面視略コ字状で金属板製の保護部材５８で前方から覆われており、保護部材５８の後端に形成した左右の羽根片５８ａと仕切り壁４６と本体５４の取り付け板５６とをビス（図示せず）で共締めしている。仕切り壁４６にはビス５９が貫通する丸穴６０が空いており、また、本体５４の取り付け板５６には雌ねじ穴６１が空いている。
【００４３】
保護部材５８の前面には錠５２の鍵穴５３を露出させるための穴６２が空いている。保護部材５８及び本体５４は溝状部４２の上端に寄せた状態に配置されており、このため、引出し１１の溝状部４２を構成する指掛け部４２ａには、保護部材５８（本体５４）を露出させるための切欠き部６３（図１０参照）が形成されている。
【００４４】
保護部材５８は、前板と左右の側板と底板とを有する樹脂製のフロントケース６４で覆われている（保護部材５８の上面は溝状部４２の上面板で覆われているので、フロントケース６４に上板は必要ない。）。フロントケース６４の側板６４ａには、ビスを覆う横向き張り出し部６４ｂが一体に形成されており、この横向き張り出し部６４ｂには、仕切り壁４６に空けた貫通穴６５を通って補助収納部４３に突出する第１係合爪６６が形成されている。第１係合爪６６は平面視で鉤形になっている。
【００４５】
更に、フロントケース６４の前板には、本体５４の鍵穴５３を露出させるための前穴６７が空いており、また、前板の上端には、錠５２における本体５４の上面に当たる舌片６４ｃが後ろ向きに突設されており、保護部材４８には、前記舌片６４ｃが嵌まる角穴５８ｂを形成している。
【００４６】
錠５２のデッドボルト５５は補助収納部４３に配置したリアケース６８で覆われている。リアケース６８は、上板と背面板と左右側板とを有して前方及び下方に開放しており、その上板には、デッドボルト５５のストッパー部５５ａが上向き動することを許容するための左右一対の貫通穴６９を空けている。リアケース６８の左右に貫通穴６９を空けているのは、錠５２を引出し１１の右側寄りに配置する場合と左側寄りに配置する場合とで共用するためである。勿論、リアケース６８は左右専用品として貫通穴６９は一つのみ形成しても良い。
【００４７】
リアケース６８は、その前面が仕切り壁４６の後面に重なるようになっており、フロントケース６４の第１係合爪６６が係合する係合部７０を形成している。第１係合爪６６は弾性変形によって係合部７０に引っ掛かり係合する。また、図１２に示すように、リアケース６８の係合部７０の箇所には、フロントケース６４に設けた第１係合爪６６の付け根部に引っ掛かり係合する下向きで正面視鉤形の第２係合爪７１を形成している。
【００４８】
支持レール１３における上水平部２９の前端部には、デッドボルト５５の係合部の一例として、引出し１１を押し込み切った状態で錠５２をキーで解施錠操作するとデッドボルト５５のストッパー部５５ａが嵌脱する係合穴７２を空けている。この場合、支持レール１３における上水平部２９は天板２の下面との間にある程度の隙間Ｓが空いているため、上水平部２９に単に係合穴７２を空けただけでありながら、デッドボルト５５のストッパー部５５ａは係合穴７２に十分な引っ掛かり代を持って係合する。
【００４９】
(6).天板と脚との連結構造
次に、図８に基づいて脚３と天板２との前部の連結構造を説明する。本実施形態の脚３は、後部に位置した中空板状の基部から上アームと下アームとが前向きに延びたいわゆるＬ脚であり、その上部は上向きに開口した樋状部材３ａを備えている。樋状部材３ａは脚３の前後の全長にわたって延びており、また、上端には内向きリップ３ｂが形成されている。
【００５０】
樋状部材３ａの前端寄り部位には、当該樋状部材３ａの上面よりも僅かに低い高さで支持体７５が溶接によって固着されており、支持体７５に、前後長手の係合スリット７６が左右に振り分けた状態で形成されている。また、支持体７５のうち係合スリット７６の後ろ側には、樋状部材３ａの上面から突出したスペーサ７７が取り付けられている。
【００５１】
天板２の前部と脚３の前部とは前部連結金具７８によって連結されている。前部連結金具７８は、左右の側板７９を有する正面視下向き開口コ字状に形成されており、天板２における前部補強枠１５の凹溝部２４にボルト８０及びナット８１で締結されている。ナット８１は凹溝部２４の裏側に溶接によって固着されている。
【００５２】
前部連結金具７８の側板７９には、脚３における支持体７５の係合スリット７６に嵌入する爪部７９ａが形成されており、爪部７９ａの付け根箇所には、係合スリット７６の奥部内縁に上下動不能に嵌合する切り開き溝７９ｂが形成されている。天板１の側部を一つの脚３のみで支持する場合は、２つの爪部７９ａが２つの係合スリット７６に嵌まり係合する。左右に隣り合った２枚の天板２を一つの脚３で支持する場合は、それぞれの天板２における前部連結金具７８の爪部７９ａが一つの係合スリット７６に嵌まり係合する。
【００５３】
天板２の側枠体２０の下端には水平部２０ａが形成されており、側枠体２０（及びサイドエッジ２１）の下面と各補強枠１５〜１８の下面とは略同一面になっている。そして、側枠体２０と前部補強枠１５とがスペーサ７７に載ることにより、天板２の下面と脚３の上面との間には、支持レール１１と天板２との間に生じるのと同じ寸法ｅの隙間Ｓが空いている。
【００５４】
天板２の後部と脚３の後部とは後部連結金具（図示せず）で連結されており、天板２と脚３とは後部においても隙間が空いている。いうまでもないが、天板２と脚３とは他の方法で連結しても良い。例えばねじ止めすること可能である。
【００５５】
(7).補助テーブルの連結
補助テーブル８は天板２に連結されており、その構造は図９及び図１０に示している。この点を次に説明する。図９は要部の一部破断平面図、図１０のうち（Ａ）は図９の XA-XA視断面図、（Ｂ）は（Ａ）のＢ−Ｂ視断面図、（Ｃ）は（Ａ）のＣ−Ｃ視断面図である。
【００５６】
補助テーブル８の天板９は木製であり（勿論金属板製でも良い）、前後一対の連結金具８２で天板２に連結されている。連結金具８２は、脚３の上方の隙間Ｓ′を通って机１の天板２と補助テーブル８の天板２９との下面に重なる水平部８２ａを備えており、水平部８２ａが机１の天板２と補助テーブル８の天板９とにビス（ねじ）８３，８４で締結されている。
【００５７】
水平部８２ａは前後２本のビス８３で補助テーブル８の天板９に締結されており、また、水平部８２ａのうち机１の天板２に重なった部分は支持レール１１を横切って先端部が露出しており、この露出部８２ｂが１本のビス８４で第２中間補強枠１７及び第３中間補強枠１９に締結されている。この場合、補助テーブル８の天板９には鬼目ナット８５を埋設しており、天板２の前部補強枠１５にはプッシュナット８６を回転不能に取り付けている。また、水平部８２ａの下面のうち脚３の外側に位置した部分には、脚３の外面に重なる逆Ｌ字形の位置決め片８２ａを固着している。
【００５８】
なお、連結金具８２のうち机１の天板２に固定される部分には、プッシュナット８６のフランジが嵌まる凹所８２ｂを潰し形成している。凹所８２ｂは膨出形成することも可能であるが、実施形態のように潰し形成すると、水平部８２ａを机１の外側から隙間Ｓに差し込むことを確実化できる利点がある。
【００５９】
以上のように、天板２と支持レール１１との間、及び、天板２と脚３との間に数ｍｍの隙間Ｓが空いているため、机１の天板２と補助テーブル８の天板９とをその下面において金具８２で連結しつつ、机１には脚３に近接した状態で引出し１１を取り付けることができるのである。
【００６０】
(8).スチール製天板と木製天板との調和の配慮
机１を有に並設する場合、スチール製天板を有する机と木製天板を有する机とを並設する場合がある。この場合、スチール製天板２は強度に優れているため、例えば全体の厚さを２５ｍｍ程度に設定できるが、木製天板は強度に劣るため、従来は、図１２に示すように、厚さＴ′を２８ｍｍ程度に設定し、かつ、鋼板製で側断面上向き開口コ字状の補強材８８を下面に装着していた。この場合、補強材８８は天板２の下面からはみ出ない状態にしており、そこで、天板２の下面には、左右の深溝８９と幅広の浅溝９０とを切削によって形成していた。
【００６１】
しかし、この従来構造では、スチール製天板２と木製天板２との厚さが相違することから、両天板２に取り付ける支持レールの位置も高低変わることになり、このため引出しの高さが不揃いになって体裁が悪いという問題があった。
【００６２】
本実施形態ではこの点に配慮しており、これを図１１に示している。すなわち（Ａ）はスチール製天板の断面図、（Ｂ）は木製天板の断面図であり、木製天板２はスチール製天板２と同じ厚さＴ（例えば２５ｍｍ）に設定して、その下面に、スチール製天板２と支持レール１３との隙間Ｓの寸法と同じ板厚寸法の補強枠８８を装着している。この場合、補強枠８８はその板厚だけ天板２の下方に露出しており、支持レール１１は補強枠８８の下面に重ねた状態に取り付けている。このため、スチール製天板２の引出しと木製天板２の引出しとは高さが揃っており、このため机群の全体として見栄えが良い。
【００６３】
なお、木製天板２に支持レール１３を取り付ける場合、前後の係止爪３２，３４は切除すると共に、抜け止め部材３９は使用せず、隙間形成用の突起２９ｂに下方から挿通したビスを天板２の下面（補強枠ではない）にねじ込んでいる。このため、突起２９ｂには穴が空いており、また、天板２には鬼目ナットを埋設している。
【００６４】
また、本実施形態では、補強枠８８を取り付けるためには木製天板２に左右の深溝８９を形成するだけで足り、このため、図１２の従来例に比べて切削加工がごく簡単であるのみならず、強度的に優れている（このため、従来よりも厚さを薄くしつつ補強枠８８の本数を減らすことができる。）。また、木製の天板２と支持レール１１との間には補強枠８８の箇所を除いて隙間Ｓが空いているため、金具で補助天板等を連結することには支障はない。
【００６５】
(9).他の実施形態（図13,14 ）
図１３では第２実施形態を示している。この実施形態では、左右に隣り合った机の天板２を一つの脚３で支持するにおいて、脚３における樋状部材３ａにブラケット９２を溶接によって固着し、このブラケット９２に、脚３の左右両側に張り出した連結金具９３をビス９４で固定し、連結金具９３に天板２をビス９５で固定している。天板２が木製である場合は、このような簡易な方法で連結できる。本実施形態では、支持レール１３は天板２を脚３に連結してから取り付けることになる。
【００６６】
図１４に示す第３実施形態では、脚３の外側にハンガー棚９６を配置するにおいて、ハンガー棚９６の上端に設けた水平片９６ａを机の天板２に固定している。天板２に締結された金具とハンガー棚とを別部材に構成して、金具に各種のものを取り付けできるようにすることも可能である。
【図面の簡単な説明】
【００６７】
【図１】本願発明が具体化された机の概略斜視図である。
【図２】天板の部分底面図である。
【図３】天板と支持レールとの関係を示す分離斜視図である。
【図４】支持レールの取り付け手順を示す断面図である。
【図５】支持レールの取り付け手順を示す底面図である。
【図６】（Ａ）は引出しの部分平面図、（Ｂ）は図５のVIA-VIA 視断面図である。
【図７】施錠機構を構成する部材群の分離斜視図である。
【図８】天板の前部と脚の前部との連結構造を示す図である。
【図９】机と補助テーブルとの連結構造を示す一部破断平面図である。
【図１０】机の天板と補助テーブルの天板とを連結する構造を示す図である。
【図１１】スチール製天板と木製天板とを調和を示す比較断面図である。
【図１２】従来の木製天板２のを示す図である。
【図１３】第２実施形態を示す図である。
【図１４】第３実施形態を示す図である。
【符号の説明】
【００６８】
１  机
２  天板
８  補助テーブル
９  天板に連結される他部材の一例としての補助テーブル用天板
１１  引出し
１３  支持レール
１７〜１９  中間補強枠
５２  錠
５５  錠のデッドボルト
７２  支持レールの係合穴
７８  机と補助テーブルとを連結するための金具
Ｓ  隙間
【図１】
2008086456.tif 000003
【図２】
2008086456.tif 000004
【図３】
2008086456.tif 000005
【図４】
2008086456.tif 000006
【図５】
2008086456.tif 000007
【図６】
2008086456.tif 000008
【図７】
2008086456.tif 000009
【図８】
2008086456.tif 000010
【図９】
2008086456.tif 000011
【図１０】
2008086456.tif 000012
【図１１】
2008086456.tif 000013
【図１２】
2008086456.tif 000014
【図１３】
2008086456.tif 000015
【図１４】
2008086456.tif 000016
【手続補正書】
【提出日】平成18年10月2日(2006.10.2)
【手続補正１】
【補正対象書類名】図面
【補正対象項目名】図１
【補正方法】変更
【補正の内容】
【図１】
2008086456.tif 000017